(57)【要約】【課題】画像形成装置において、複数のノズルの各々について異常の程度に応じた適切な吐出回復動作を行う。【解決手段】複数種のドットサイズのうち一つのサイズに対応する量の液体を複数のノズルから記録媒体へ向けて吐出して、記録媒体にテストパターンの画像を形成することを、複数種のドットサイズの全てに対してそれぞれ行う。記録媒体上のテストパターンの画像をイメージセンサで読み取り、イメージセンサで読み取られた画像を解析して、複数のノズルの各々についてノズル吐出状態を診断する。ノズル吐出状態の診断結果に応じて記録ヘッドの吐出回復動作を行う。ノズル吐出状態を診断において、複数のノズルの各々について正常と異常を判別する第１の診断を行い、第１の診断の結果に基づいて複数のノズルの各々について吐出回復動作でノズルから排出される液体排出量を決定する第２の診断を行う。【選択図】図９
2015066890.tif 000002
【特許請求の範囲】
【請求項１】
複数のノズルを有し、これらノズルの各々から複数種のドットサイズに対応する量の液体の吐出ができる記録ヘッドを備えた画像形成装置において、前記複数のノズルの液体吐出状態の診断及び良好な液体吐出状態の回復を行う方法であって、
前記複数種のドットサイズのうち一つのサイズに対応する量の液体を前記複数のノズルから記録媒体へ向けて吐出して、前記記録媒体にテストパターンの画像を形成することを、前記複数種のドットサイズの全てに対してそれぞれ行うことと、
前記記録媒体上の前記テストパターンの画像をイメージセンサで読み取ることと、
前記イメージセンサで読み取られた画像を解析して、前記複数のノズルの各々についてノズル吐出状態を診断することと、
前記ノズル吐出状態の診断結果に応じて前記記録ヘッドの吐出回復動作を行うこととを含み、
前記ノズル吐出状態を診断することが、前記複数のノズルの各々について正常と異常を判別する第１の診断を行うことと、前記第１の診断の結果に基づいて前記複数のノズルの各々について前記吐出回復動作でノズルから排出される液体排出量を決定する第２の診断を行うこととを含む、ノズルの診断及び吐出回復方法。
【請求項２】
前記第２の診断を行うことが、
前記複数種のドットサイズの各々の吐出に関する前記記録媒体への着弾の成否を判別することと、前記着弾の成否に基づいて異常の程度を判別することと、前記異常の程度に基づいて前記液体排出量を決定することとを含む、請求項１に記載のノズルの診断及び吐出回復方法。
【請求項３】
前記第２の診断において、前記複数のノズルのうち１以上のノズルについて、前記複数種のドットサイズのうち全てのサイズの吐出に関する着弾の失敗を判別すると、前記複数のノズルの全ての前記液体排出量を所定のパージ量に決定し、
前記吐出回復動作においてパージ動作を行い、前記複数のノズルの全てから前記所定のパージ量の液体を排出する、請求項２に記載のノズルの診断及び吐出回復方法。
【請求項４】
前記第２の診断において、前記複数のノズルの全てについて、前記複数種のドットサイズのいずれか１以上のサイズの吐出に関する着弾の成功を判別すると、前記複数のノズルの各々について前記液体排出量を前記異常の程度に応じたフラッシング量に決定し、
前記吐出回復動作においてフラッシング動作を行い、前記複数のノズルの各々から対応する前記フラッシング量の液体を排出する、請求項２又は３に記載のノズルの診断及び吐出回復方法。
【請求項５】
前記複数種のドットサイズの吐出のうち、着弾が成功した最小の量の吐出のサイズに基づいて、前記異常の程度を判別する、請求項２〜４のいずれか一項に記載のノズルの診断及び吐出回復方法。
【請求項６】
前記テストパターンのうち最後のテストパターンの画像を、前記複数種のドットサイズの吐出のうち最小の量の吐出より形成する、請求項１〜５のいずれか一項に記載のノズルの診断及び吐出回復方法。
【請求項７】
複数のノズルを有し、これらノズルの各々から複数種のドットサイズに対応する量の液体の吐出ができる記録ヘッドと、
前記複数種のドットサイズのうち一つのサイズに対応する量の液体を前記複数のノズルから記録媒体に向けて吐出して前記記録媒体にテストパターンの画像を形成することを、前記複数種のドットサイズの全てについてそれぞれ行うように前記記録ヘッドを動作させる、テストパターン記録手段と、
前記記録媒体上の前記テストパターンの画像を読み取るイメージセンサと、
前記イメージセンサで読み取られた画像を解析して、前記複数のノズルの各々についてノズル吐出状態を診断するノズル診断手段と、
前記ノズル吐出状態の診断結果に応じて前記記録ヘッドが吐出回復動作を行うように前記記録ヘッドを制御する回復動作制御手段とを備え、
前記ノズル診断手段は、前記複数のノズルの各々について正常と異常を判別する第１の診断部と、前記第１の診断部の診断結果に基づいて前記複数のノズルの各々について前記吐出回復動作でノズルから排出される液体排出量を決定する第２の診断部とを有する、画像形成装置。
【請求項８】
前記第２の診断部が、前記複数種のドットサイズの各々の吐出に関する前記記録媒体への着弾の成否の判別することと、前記着弾の成否に基づいて異常の程度を判別することと、前記異常の程度に基づいて前記液体排出量を決定することとを行う、請求項７に記載の画像形成装置。
【請求項９】
前記第２の診断部が、前記複数のノズルのうち１以上のノズルにおいて、前記複数種のドットサイズの全てのサイズの吐出に関する着弾の失敗を判別すると、前記複数のノズルの全ての前記液体排出量を所定のパージ量に決定し、
前記記録ヘッドが、前記吐出回復動作においてパージ動作を行い、前記複数のノズルの全てから前記所定のパージ量の液体を排出する、請求項８に記載の画像形成装置。
【請求項１０】
前記第２の診断部が、前記複数のノズルの全てにおいて、前記複数種のドットサイズのいずれか１以上のサイズの吐出に関する着弾の成功を判別すると、前記複数のノズルの各々について前記液体排出量を前記異常の程度に応じたフラッシング量に決定し、
前記記録ヘッドが、前記吐出回復動作においてフラッシング動作を行い、前記複数のノズルの各々から対応する前記フラッシング量の液体を排出する、請求項８又は９に記載の画像形成装置。
【請求項１１】
前記第２の診断部が、前記複数種のドットサイズの吐出のうち、着弾が成功した最小の量の吐出のサイズに基づいて、前記異常の程度を判別する、請求項８〜１０のいずれか一項に記載の画像形成装置。
【請求項１２】
前記テストパターン記録手段が、前記テストパターンのうち最後のテストパターンの画像を、前記複数種のドットサイズの吐出のうち最小の量の吐出により形成するように、前記記録ヘッドを制御する、請求項７〜１１のいずれか一項に記載の画像形成装置。
【発明の詳細な説明】
【技術分野】
【０００１】
本発明は、記録媒体に向けて液体を吐出する複数のノズルを有する記録ヘッドを備えた画像形成装置に関し、より詳細には、画像形成装置のノズルのインク吐出状態を診断し、診断結果に応じてノズルの良好な吐出状態を回復させるための吐出回復動作を行う技術に関する。
【背景技術】
【０００２】
インクジェット式画像形成装置には、記録媒体の搬送方向（副走査方向）と直交する方向（主走査方向）にノズルが配列されたライン式記録ヘッドを備えたものがある。ライン式記録ヘッドでは、主走査方向の１ライン分の印字を一度に行うことができる。しかし、インク滴が吐出されないノズルや、インク滴の吐出方向、吐出量がばらつくノズルがあると、そのノズルから打滴されるべきドットが打滴されなかったり、打滴位置がずれてしまったりすることがある。これにより、記録媒体に形成された画像に副走査方向のスジ、ムラが発生し、画像品質が低下することがある。そこで、記録媒体への画像形成を開始する前に、吐出状態が不良のノズルを発見し、ノズルの良好な吐出状態を回復させるための技術が知られている。
【０００３】
例えば、特許文献１では、ライン式記録ヘッドにおいて、各色の記録ヘッド間の搬送方向下流側に、打滴結果を撮像するためのイメージセンサを含む印字検出部が設けられたものが示されている。特許文献１においては、各記録ヘッドにより記録媒体に色別のテストパターンを印字し、このテストパターンの画像を各記録ヘッドの直後に備えられたイメージセンサで読み取り、このテストパターンの画像を解析することにより各記録ヘッド内の吐出不良ノズルが検出される。吐出不良ノズルが検出されると、記録ヘッドではこのノズルの回復動作が行われる。回復動作では、ノズルにキャップを被せ、ノズル内に詰まったインクをキャップに吐出させるつばはき、ノズル面の拭き取り清掃を行うワイピング、吸引ポンプにより詰まったノズルに詰まったインクを吸い出すインク吸引などが行われる。
【０００４】
特許文献１に記載のテストパターンは、走査方向に沿って１ラインを形成するように、全ノズルからインク滴を吐出させるような打滴パターンである。なお、上記テストパターンは、最小ドット間隔以下のサイズのドットを印字する態様であるが、最小ドットサイズのよりも大きいサイズのドットを印字し、打滴ノズルを変えながら、複数列に分けてテストパターンを印字する態様もある。
【先行技術文献】
【特許文献】
【０００５】
【特許文献１】特開２００６−２０５７４２号公報
【発明の概要】
【発明が解決しようとする課題】
【０００６】
上記特許文献１のテストパターンを含めた従来のテストパターンでは、ノズル毎の異常の有無（すなわち、吐出・不吐出）を診断することができるが、ノズル毎の異常の程度（すなわち、どのくらいの量の液体を吐出すればノズルの吐出状態を回復できるのかの度合い）を知ることはできない。したがって、ノズルの回復動作では、ノズル毎の異常の程度に関係なく、一律にパージ動作が行われる。しかしながら、パージ動作を行わずとも、フラッシング動作でノズルの吐出状態を回復できることがある。このような場合は、ノズルから過剰な液体が排出されることとなり、また、パージ動作後のワイピング及びフラッシング動作により、必要以上のメンテナンス時間や液体が消費されることとなる。
【０００７】
なお、この明細書において「パージ動作」とは、記録ヘッドのノズルが目詰まりした際などに、ノズル内の液体に圧力を作用させてノズルから液体を強制的に排出させる動作を意味する。また、この明細書において「フラッシング動作」とは、主に記録ヘッドのノズルの乾燥を防止するためなどに、ノズルから液体を空吐出する動作を意味する。パージ動作でノズルから排出される液体量は、フラッシング動作でノズルから排出される液体量よりも多い。一般に、パージ動作では、ノズルのキャップと、液体の排出と、ノズルのアンキャップとが順に行われる。さらに、パージ動作の後には、ノズル面を清掃するワイピングと、ノズルの乾燥を防ぐための予備フラッシング動作とが行われる。
【０００８】
本発明は以上の事情に鑑みてされたものであり、その目的は、記録媒体に向けて液体を吐出する複数のノズルを有する記録ヘッドを備えた画像形成装置において、複数のノズルの各々について異常の程度に応じた適切な吐出回復動作を行うことを目的とする。
【課題を解決するための手段】
【０００９】
本発明に係るノズルの診断及び吐出回復方法は、
複数のノズルを有し、これらノズルの各々から複数種のドットサイズに対応する量の液体の吐出ができる記録ヘッドを備えた画像形成装置において、前記複数のノズルの液体吐出状態の診断及び良好な液体吐出状態の回復を行う方法であって、
前記複数種のドットサイズのうち一つのサイズに対応する量の液体を前記複数のノズルから記録媒体へ向けて吐出して、前記記録媒体にテストパターンの画像を形成することを、前記複数種のドットサイズの全てに対してそれぞれ行うことと、
前記記録媒体上の前記テストパターンの画像をイメージセンサで読み取ることと、
前記イメージセンサで読み取られた画像を解析して、前記複数のノズルの各々についてノズル吐出状態を診断することと、
前記ノズル吐出状態の診断結果に応じて前記記録ヘッドの吐出回復動作を行うこととを含み、
前記ノズル吐出状態を診断することが、前記複数のノズルの各々について正常と異常を判別する第１の診断を行うことと、前記第１の診断の結果に基づいて前記複数のノズルの各々について前記吐出回復動作でノズルから排出される液体排出量を決定する第２の診断を行うこととを含むものである。
【００１０】
また、本発明に係る画像形成装置は、
複数のノズルを有し、これらノズルの各々から複数種のドットサイズに対応する量の液体の吐出ができる記録ヘッドと、
前記複数種のドットサイズのうち一つのサイズに対応する量の液体を前記複数のノズルから記録媒体に向けて吐出して前記記録媒体にテストパターンの画像を形成することを、前記複数種のドットサイズの全てに対してそれぞれ行うように前記記録ヘッドを動作させる、テストパターン形成手段と、
前記記録媒体上の前記テストパターンの画像を読み取るイメージセンサと、
前記イメージセンサで読み取られた画像を解析して、前記複数のノズルの各々についてノズル吐出状態を診断するノズル診断手段と、
前記ノズル吐出状態の診断結果に応じて前記記録ヘッドが吐出回復動作を行うように前記記録ヘッドを制御する回復動作制御手段とを備え、
前記ノズル診断手段は、前記複数のノズルの各々について正常と異常を判別する第１の診断部と、前記第１の診断部の診断結果に基づいて前記複数のノズルの各々について前記吐出回復動作でノズルから排出される液体排出量を決定する第２の診断部とを有するものである。
【００１１】
上記ノズルの診断及び吐出回復方法、及び、画像形成装置によれば、複数のノズルの各々について、良好な吐出状態を回復させるために必要な液体排出量が決定される。つまり、第２の診断により決定された液体排出量に基づけば、第１の診断で異常と判断されたノズルでも、パージ動作を行わずにフラッシング動作でノズルの吐出状態を回復できるか否かがわかる。よって、複数のノズルの各々について、異常の程度に応じた適切な吐出回復動作（フラッシング動作又はパージ動作）を選択することができる。フラッシング動作のみでノズルの吐出状態を回復することができれば、パージ動作を行う場合と比較して、メンテナンス時間が短縮され、画像形成に使用されずに廃棄される液体（インク）を削減できる。
【発明の効果】
【００１２】
本発明によれば、複数のノズルの各々について異常の程度に応じた適切な吐出回復動作を行うことができる。
【図面の簡単な説明】
【００１３】
【図１】本発明の画像形成装置の一実施形態に係るインクジェット式プリンタの内部構造を示す概略側面図である。
【図２】図１のプリンタに含まれるヘッドのヘッド本体を示す平面図である。
【図３】図２の一点鎖線で囲まれた領域を示す拡大図である。
【図４】図３に示すIV−IV線に沿った部分断面図である。
【図５】制御手段の機能ブロック図である。
【図６】テストパターンの第１例を示す図である。
【図７】テストパターンの第２例を示す図である。
【図８】第２の診断の流れを示すフローチャートである。
【図９】吐出回復処理の流れを示すフローチャートである。
【図１０】記録媒体に形成されたフラッシング画像の一例を示している。
【発明を実施するための形態】
【００１４】
以下、本発明の好適な実施の形態について、本発明に係る画像形成装置の一実施形態であるインクジェット式プリンタ１０に本発明を適用して説明する。図１は本発明の画像形成装置の一実施形態に係るインクジェット式プリンタ１０の内部構造を示す概略側面図である。
【００１５】
プリンタ１０は、直方体形状の筐体１１を有する。筐体１１の内部には、筐体１１の下部に設けられた給紙部２３から、筐体１１の天板上部に設けられた排紙部４までの搬送経路５が形成されている。給紙部２３は、筐体１１に着脱可能に設けられた給紙トレイ２４と、給紙トレイ２４に収容された記録媒体と接触して記録媒体を搬送経路５へ送り出す給紙ローラ２５などで構成されている。
【００１６】
搬送経路５は、画像形成が行われる画像形成領域５２と、給紙部２３から画像形成領域５２へ記録媒体を搬送する供給領域５１と、画像形成領域５２から排紙部４へ記録媒体を搬送する排出領域５３とに分けることができる。供給領域５１は、複数のガイド３１及び送りローラ対３２などで形成されている。排出領域５３は、複数のガイド３３、送りローラ対３４，３５などで形成されている。
【００１７】
画像形成領域５２は、搬送機構４０によって形成されている。搬送機構４０は、２つのベルトローラ４１，４２、これらのベルトローラ４１，４２に巻回された無端状の搬送ベルト４３、剥離プレート４５、プラテン４６、及びニップローラ４７などで構成されている。搬送ベルト４３の上面が搬送経路５の画像形成領域５２である。剥離プレート４５は、搬送経路５の画像形成領域５２と排出領域５３との間に設けられ、搬送ベルト４３に弱粘着している記録媒体を搬送ベルト４３から剥離する。プラテン４６は、２つのベルトローラ４１，４２の間に設けられ、搬送ベルト４３の上側ループを内側から支えている。ニップローラ４７は、給紙部２３から搬送されてきた記録媒体を搬送ベルト４３の外周面に押さえ付けながら回転して、記録媒体を送り出す。
【００１８】
搬送経路５の画像形成領域５２の上方であって、プラテン４６と上下に対向する位置には、ブラックインクを吐出する記録ヘッド１が設けられている。記録ヘッド１は、ヘッドホルダ１５を介して筐体１１に支持されている。記録ヘッド１の下面は、複数の吐出口８５（図３参照）が配列された吐出面１ａである。ヘッドホルダ１５は、ヘッド昇降機構３９（図５参照）によって昇降され、これにより、記録ヘッド１が画像形成位置と退避位置とに昇降移動する。図１に示すように、画像形成位置の記録ヘッド１は、吐出面１ａと搬送ベルト４３との間に記録に適した所定の間隙が形成される。退避位置の記録ヘッド１は、搬送ベルト４３から画像形成位置以上の間隔で離隔する。退避位置では、記録ヘッド１と搬送ベルト４３との間の空間を、後述するワイパ３６１が移動可能である。
【００１９】
搬送経路５の記録ヘッド１より上流側には、用紙センサ２６が設けられている。用紙センサ２６は、搬送経路５に沿って搬送される記録媒体の先端を検知する。用紙センサ２６の検知信号は、記録ヘッド１の吐出動作と搬送機構４０の記録媒体搬送動作との同期に用いられる。
【００２０】
搬送経路５の記録ヘッド１より下流側には、イメージセンサ１６が設けられている。イメージセンサ１６として、例えば、密着イメージセンサ（ＣＩＳ）を採用することができる。このイメージセンサ１６は、後述する吐出回復処理において、記録媒体に形成されたテストパターン画像を読み取り、テストパターン画像のデータを生成する。イメージセンサ１６で生成されたテストパターン画像のデータは、制御手段１００へ送られて解析される。
【００２１】
ワイパユニット３６は、図５に示すように、ワイパ３６１とワイパ移動機構３６２とで構成されている。ワイパ３６１は、吐出面１ａの幅より若干長い板状の弾性部材（例えば、ゴム）をフレームに取り付けたものである。ワイパ移動機構３６２は、ワイパ３６１を吐出面１ａの下で主走査方向に移動させる手段であって、駆動源であるモータ（不図示）を備えている。
【００２２】
クリーナユニット３７は、洗浄液塗布部材３７１、ブレード３７２及び移動機構３７３（図５参照）で構成されている。移動機構３７３は、洗浄液塗布部材３７１及びブレード３７２を搬送ベルト４３の外周面に離接移動させるものである。クリーナユニット３７は、搬送ベルト４３の外周面に洗浄液を塗布し、汚れ（インク等）を洗浄液ごと掻きとることで、搬送ベルト４３をクリーニングする。
【００２３】
筐体１１の下部には、ブラックインクを貯留するインクカートリッジ２２が筐体１１に着脱可能に装着されている。インクカートリッジ２２は、記録ヘッド１にチューブ（図示せず）及びポンプ３８（図５参照）を介して接続されている。
【００２４】
次に、図２〜図４を参照して、記録ヘッド１について詳細に説明する。図３では説明の都合上、アクチュエータユニット８１の下方にあって破線で描くべき圧力室８３、アパーチャ８４及び吐出口８５が実線で描かれている。記録ヘッド１は、図２に示されたヘッド本体３に加えて、リザーバ、フレキシブルプリント配線基板（ＦＰＣ）、制御基板等（いずれも図示せず）が積層された積層体である。リザーバには、チューブ及びポンプ３８を介してインクカートリッジ２２から供給されたインクが貯溜されている。制御基板で調整された信号は、ＦＰＣ上のドライバＩＣで駆動信号に変換されてから、ヘッド本体３のアクチュエータユニット８１へ出力される。アクチュエータユニット８１が駆動されると、リザーバから供給されたインクが吐出口８５から吐出される。
【００２５】
ヘッド本体３は、圧力室８３を含むインクの流路が形成された流路ユニット８２と、圧力室８３に吐出圧を付与するアクチュエータを備えたアクチュエータユニット８１とを備えている。図４に示すように、流路ユニット８２は、複数の金属プレートの積層体である。流路ユニット８２の上面には、図２に示すように、複数のインク供給口８６ｂが開口している。リザーバのインクは、インク供給口８６ｂから流路ユニット８２内に供給される。流路ユニット８２の内部には、インク供給口８６ｂを一端とするマニホールド流路８６、及び、マニホールド流路８６から分岐した複数の副マニホールド流路８６ａが形成されている。さらに、各副マニホールド流路８６ａの出口からアパーチャ８４及び圧力室８３を経て吐出口８５に至る複数の個別インク流路９０が形成されている。流路ユニット８２の下面は、吐出面１ａであって、多数の吐出口８５がマトリクス状に配置されている。これら吐出口８５は、主走査方向に所定の距離ずつ離れて並んでいる。
【００２６】
次に、アクチュエータユニット８１について説明する。アクチュエータユニット８１は、流路ユニット８２の上面に固定されている。図２に示すように、１つのヘッド本体３に４つのアクチュエータユニット８１が設けられている。各アクチュエータユニット８１は、それぞれ台形の平面形状を有しており、インク供給口８６ｂを避けるよう主走査方向に千鳥状に配置されている。アクチュエータユニット８１は、ピエゾ式アクチュエータであって、圧力室８３内のインクに選択的な吐出エネルギーを与える圧力室８３ごとのアクチュエータとして機能する。
【００２７】
ここで、制御手段１００について説明する。制御手段１００は、プリンタ１０各部の動作を制御してプリンタ１０全体の動作を司る。制御手段１００は、外部装置（プリンタ１０と接続されたＰＣ等）から供給された印刷信号に基づいて、プリンタ１０の画像形成動作、即ち、記録媒体の搬送動作、記録媒体の搬送に同期したインク吐出動作などの画像形成に係る動作を制御する。
【００２８】
また、制御手段１００は、プリンタ１０の記録ヘッド１の吐出回復動作を制御する。吐出回復動作には、インク排出動作（液体排出動作）、吐出面１ａのワイピング動作、搬送ベルト４３のクリーニング動作等が含まれる。インク排出動作には、パージ動作とフラッシング動作がある。パージ動作では、ポンプ３８の駆動により、記録ヘッド１へのインク供給系統から記録ヘッド１内のインクに圧力を加え、記録ヘッド１内のインクを吐出口８５から強制的に排出する、いわゆる、押しパージが行われる。パージ動作では、アクチュエータユニット８１は駆動されない。一方、フラッシング動作では、アクチュエータユニット８１が駆動されて、吐出口８５からインクが空吐出される。
【００２９】
ワイピング動作では、記録ヘッド１の吐出面１ａがワイパ３６１によって払拭される。ワイピング動作は、パージ動作後に行われ、吐出面１ａ上の残留したインクなどの異物が取り除かれる。また、クリーニング動作では、搬送ベルト４３がクリーナユニット３７によって払拭される。クリーニング動作は、パージ動作及びフラッシング動作後に行われ、搬送ベルト４３上のインクなどの異物が除去される。
【００３０】
制御手段１００は、ＣＰＵ（Central Processing Unit）の他、ＲＯＭ（Read Only Memory）、ＲＡＭ（Random Access Memory）、ＡＳＩＣ（Application Specific Integrated Circuit ）、Ｉ／Ｆ（Interface）、Ｉ／Ｏ（Input/output Port）等を有している（いずれも図示せず）。ＲＯＭには、ＣＰＵが実行するプログラム、各種固定データ等が記憶されている。ＣＰＵが実行するプログラムは、フレキシブルディスク、ＣＤ−ＲＯＭ、メモリカード等の各種記憶媒体に保存されており、これらの記憶媒体からＲＯＭにインストールされる。ＲＡＭには、プログラム実行時に必要なデータが一時的に記憶される。ＡＳＩＣでは、画像データの書き換え、並び替え等（例えば、信号処理や画像処理）が行われる。Ｉ／Ｆは、外部装置（プリンタ１０に接続されたパーソナルコンピュータ等）とのデータ送受信を行う。Ｉ／Ｏは、各種センサの検出信号の入力／出力を行う。制御手段１００では、ＲＯＭに記憶されたプログラム等のソフトウェアとＣＰＵ等のハードウェアとが協働することにより、以下に説明する制御手段１００の各機能を実現する処理を行うように構成されている。なお、制御手段１００は単一のＣＰＵにより各処理を実行してもよいし、複数のＣＰＵ或いはＣＰＵと特定のＡＳＩＣの組み合わせにより各処理を実行してもよい。
【００３１】
図５は制御手段の機能ブロック図である。図５に示すように、制御手段１００は、搬送制御部７１、画像データ記憶部７２、データ書込部７３、ヘッド制御部７４、及びメンテナンス制御部９６としての機能を備えている。
【００３２】
搬送制御部７１は、外部装置から受信した印刷信号に基づいて、記録媒体が搬送経路５に所定速度で搬送されるように、給紙ローラ２５、送りローラ対３２，３４，３５、及び搬送機構４０の動作を制御する。
【００３３】
ヘッド制御部７４は、記録ヘッド１からインクを吐出するために、アクチュエータユニット８１の各アクチュエータの駆動を制御する。ヘッド制御部７４は、駆動データ記憶部７４１と駆動部７４２とを含む。駆動データ記憶部７４１は、各アクチュエータの駆動形態を指示する駆動データ(後述の、画像データやフラッシングデータ)を記憶する。駆動部７４２は、ドライバＩＣを含み、駆動データに基づいて、各アクチュエータを駆動する駆動信号を出力する。ヘッド制御部７４は、用紙センサ２６の出力に基づいて、記録媒体の搬送と同期したタイミングで駆動信号を出力する。
【００３４】
画像データ記憶部７２は、外部装置からの印刷信号に含まれる画像データを記憶する。画像データは、各吐出口８５について、ドットサイズ（極小、小、中、大の５段階のいずれか）やドット形成位置等を複数の印字周期にわたって示すものである。なお、１印字周期は、記録ヘッド１と記録媒体とが、用紙の搬送方向における印刷の解像度に対応した単位距離だけ相対移動するのに要する時間である。また、本実施形態では、ドットサイズの大，中，小，極小は、吐出総量１５ｐｌ，１０ｐｌ，５ｐｌ，２．５ｐｌのインクでそれぞれ形成される。
【００３５】
データ書込部７３は、画像データ記憶部７２に記憶された画像データを、ヘッド制御部７４の駆動データ記憶部７４１に書き込む。このように画像データが駆動データとして駆動データ記憶部７４１に書き込まれると、ヘッド制御部７４は、駆動データに基づいて各アクチュエータを駆動する駆動信号を出力する。この結果、各アクチュエータが動作し、アクチュエータに対応するノズルから液滴が吐出され、記録媒体に画像が形成される。
【００３６】
メンテナンス制御部９６は、記録ヘッド１のメンテナンス動作を制御する。メンテナンス制御部９６は、更に、第１診断部７５、第２診断部７６、フラッシング動作制御部７７、テストパターン記録部７８、及び画像読取制御部７９、ワイピング動作制御部９３、クリーニング動作制御部９４、及びパージ動作制御部９５としての機能を有している。
【００３７】
第１診断部７５は、テストパターン画像データに基づいて、記録ヘッド１の複数のノズルの各々について、吐出の正常と異常を判別する第１の診断を行う。
【００３８】
第２診断部７６は、第１の診断の結果に基づいて、複数のノズルの各々について、吐出回復のための液体排出量を決定する第２の診断を行う。吐出回復のための液体排出量とは、ノズルの吐出性能を回復させるための液体排出動作（パージ動作又はフラッシング動作）において、ノズルを所望の吐出特性まで回復させるために要するインク排出量である。
【００３９】
フラッシング動作制御部７７は、フラッシングデータを生成するデータ生成部７７１と、フラッシングデータをヘッド制御部７４の駆動データ記憶部７４１へ書き込む書込部７７２とを有している。フラッシングデータは、ノズルごとのフラッシング動作を指示するデータであり、これにはノズルごと液体排出量が含まれる。なお、フラッシング動作における各ノズルからの液体吐出回数は、ノズルごとに決定された液体排出量に基づいて設定される。本実施形態においては、フラッシング動作の各回の吐出には小ドットサイズの液滴(液滴量５ｐｌ）が採用されて、吐出回数を増減することによりノズルから液体排出量のインクが吐出される。
【００４０】
テストパターン記録部７８は、所定のテストパターンデータを記憶した記憶部７８１と、テストパターンデータをヘッド制御部７４の駆動データ記憶部７４１に書き込む書込部７８２とを含む。テストパターン記録部７８は、テストパターン印字の指令を受けると、記憶部７８１に記憶されたテストパターンデータを、ヘッド制御部７４の駆動データ記憶部７４１に書き込む。これにより、ヘッド制御部７４は、テストパターンデータに基づいて、各アクチュエータを駆動する駆動信号を出力する。この結果、各アクチュエータがテストパターンデータに基づいて動作し、各アクチュエータと対応するノズルからインクが吐出される。
【００４１】
テストパターンデータに基づいて記録ヘッド１からインクが吐出され、そのインクが着弾した記録媒体にテストパターン画像が形成される。画像読取制御部７９は、テストパターン画像を読み取り、テストパターン画像データを生成するように、イメージセンサ１６を制御する。イメージセンサ１６で生成されたテストパターン画像データは、ＲＡＭ等のメモリに一時的に記憶されて、後述する診断に利用される。
【００４２】
ワイピング動作制御部９３は、ワイパユニット３６によるワイピング動作を制御する。クリーニング動作制御部９４は、クリーナユニット３７によるクリーニング動作を制御する。パージ動作制御部９５は、ポンプ３８によるパージ動作を制御する。
【００４３】
〔テストパターン〕
ここで、所定のテストパターンについて説明する。なお、この明細書において「テストパターンデータ」とは、テストパターン画像を記録媒体に形成させるようなデータである。
【００４４】
図６には、好ましいテストパターンの第１例が示されており、図７には好ましいテストパターンの第２例が示されている。テストパターンは、複数種のドットサイズの各々について、ドットサイズに対応する量の液体を各ノズルから所定数だけ吐出させるようなデータである。なお、１ドットのドットサイズ（着弾した記録媒体上での液体の大きさ）を、液玉の数を変えて調整するタイプの記録ヘッドと、液玉の体積を変えて調整するタイプの記録ヘッドとが知られている。前者の場合は、記録媒体上で１ドットのドットサイズを形成するために複数の液滴が吐出されるが、この明細書では、この複数の液滴を１滴としてカウントする。そして、実際にノズルから吐出される液滴の数に関わらず、ドットサイズ大の１ドットを形成するために吐出されるインクを「大滴」といい、ドットサイズ中の１ドットを形成するために吐出されるインクを「中滴」といい、ドットサイズ小の１ドットを形成するために吐出されるインクを「小滴」といい、ドットサイズ極小の１ドットを形成するために吐出されるインクを「極小滴」いうこととする。
【００４５】
第１例に係るテストパターンデータは、記録ヘッド１の各ノズルから、所定数（例えば２０発）の小滴、所定数の中滴、所定数の大滴、及び所定数の極小滴を、それぞれ順に吐出させるような画像データである。第２例に係るテストパターンデータは、記録ヘッド１の各ノズルから、所定数（例えば２０発）の大滴、所定数の中滴、所定数の小滴、及び所定数の極小滴を、それぞれ順に吐出させるような画像データである。
【００４６】
第１例及び第２例のテストパターンデータでは、全種類のドットサイズのドットを形成できることを保証するために、各ノズルから大滴、中滴、小滴及び極小滴（即ち、全種類のドットサイズに対応する量の液滴）の吐出を行わせる。
【００４７】
また、第１例及び第２例のテストパターンデータでは、最も少ない量の液滴（極小滴）の吐出を、最後に行わせる。これによって、それまでの小滴、中滴、及び大滴の吐出をノズルの吐出回復用の液体排出として位置付けることができる。つまり、テストパターン画像形成のためのインクの吐出が、ノズルの吐出回復のためのインク排出も兼ねている。
【００４８】
また、上記第１例及び第２例のテストパターンデータでは、記録媒体に形成されたドットサイズ大、中、小、極小のドットを別々に認識できるように、大滴、中滴、小滴、及び極小滴を別々に吐出させる。例えば、第１例のテストパターンデータによれば、１つのノズルから、小滴を２０発吐出し、中滴を２０発吐出し、大滴を２０発吐出し、最後に極小滴を２０発吐出する。この結果、記録媒体上には、ドットサイズ大のドット群、ドットサイズ中のドット群、ドットサイズ小のドット群、ドットサイズ極小のドット群の順に画像が形成される。よって、記録媒体上に形成されたドットに基づいて、ドットサイズごとの記録媒体への液滴の着弾（吐出）の成否を、容易に判別することができる。
【００４９】
〔第１の診断〕
次に、第１診断部７５が行う第１の診断について説明する。第１の診断では、記録媒体に形成されたテストパターン画像、即ち、イメージセンサ１６が読み取ったテストパターン画像データに基づいて、各ノズルの吐出の正常と異常とを判別する。このために、第１診断部７５は、まず、ノズルから吐出された各液滴が記録媒体に着弾しているか否かを判別する。例えば、ノズルの吐出が正常な場合は、ノズルから所定数（例えば、２０個）の液滴が吐出されると、記録媒体には所定数のドットが形成されるはずである。しかし、ノズルの吐出が異常な場合は、ノズルから所定数（例えば、２０個）の液滴が吐出されても、記録媒体には所定数よりも少ないドットが形成される。そこで、第１診断部７５は、記録ヘッド１から吐出された液滴のうち、記録媒体に着弾したものとしなかったものとを判別し、これに基づいて、ドットサイズ別の着弾の成否（即ち、ドット形成の成否）を判別する。このドットサイズ別の着弾の成否を判別は、各ノズルについて行われる。各ノズルのドットサイズ別の着弾の成否の判別結果は、ＲＯＭ等のメモリに一時的に記憶される。次表１では、或るノズルから吐出された２０発の液滴のうち記録媒体に着弾したものを○、着弾しなかったものを×で表し、着弾の成否を判別した例(a-1〜5)が示されている。
【００５０】
【表１】
2015066890.tif 000003
【００５１】
本実施形態に係る第１診断部７５では、連続して吐出された所定数の液滴のうち、最後に吐出された液滴が記録媒体に着弾し、且つ、最後に吐出された液滴から遡って連続するＮ発（例えば、Ｎ＝５）の液滴が記録媒体に着弾したときに、そのドットサイズの着弾を成功と判別し、それ以外では着弾を失敗と判別する。但し、着弾の成功を判別する条件は、上記に限定されない。
【００５２】
上記表１において、例(a-1)では、或るドットサイズについて、前半の連続する１２発の液滴が記録媒体に着弾せず、後半の連続する８発の液滴が記録媒体に着弾してドットを形成しているので、そのドットサイズの着弾は成功と判別される。また、例(a-2)では、別のドットサイズについて、前半の連続する１８発の液滴が記録媒体に着弾せず、後半の連続する２発の液滴が記録媒体に着弾してドットを形成しているので、別のドットサイズの着弾は失敗と判別される。このようにして、第１診断部７５は、各ノズルにおいて、ドットサイズ別の着弾の成否を判別する。
【００５３】
更に、第１診断部７５は、或るノズルにおいて、全てのドットサイズの着弾が成功と判別された場合に、そのノズルの吐出を正常と判別し、それ以外を異常と判別する。このようにして、第１診断部７５は、全てのノズルについて、ノズルの吐出の正常と異常とを判別する。
【００５４】
〔第２の診断〕
続いて、第２の診断について説明する。第２診断部７６では、各ノズルにおいて、ドットサイズ別の着弾の成否を判別することと、ドットサイズ別の着弾の成否に基づいて吐出の異常の程度を判別すること、吐出の異常の程度に基づいて吐出回復のための液体排出量を決定することとが行われる。
【００５５】
ドットサイズ別の着弾の成否を判別する際に、上記第１の診断と同じ手法を用いることができる。したがって、上記第１の診断で既に各ノズルについて、ドットサイズ別の着弾の成否が判別されている場合には、着弾の成否の判別を省略することができる。
【００５６】
第２診断部７６は、吐出の異常の程度を判別するに際し、各ノズルについて、ドットサイズ別の着弾の成否の組み合わせに基づいて、異常の程度を判別する。図８は第２の診断の流れを示すフローチャートである。なお、第２診断部７６は、各ノズルにおいて第２の診断を行うが、図８では１つのノズルに対して行われる第２の診断の流れが示されている。
【００５７】
まず、第２診断部７６は、記憶されたドットサイズ別の着弾の成否を参照し、全種類のドットサイズについて着弾が成功している場合は（ステップＳ１でＹＥＳ）、そのノズルの吐出は正常であるので、吐出回復のための液体排出量をゼロと決定する（ステップＳ２）。また、第２診断部７６は、全種類のドットサイズのうち少なくとも１以上のドットサイズにおいて、着弾が失敗している場合は（ステップＳ１でＮＯ）、ドットサイズ別の着弾の成否の組み合わせに基づいて異常の程度を判別し、異常の程度に基づいて吐出回復のための液体排出量を決定する。本実施形態では、次表２に示されるように、異常の程度を、最悪レベル、レベルＡ〜Ｂ、異常なしの７段階に分け、異常の程度のそれぞれに対応して吐出回復のための液体排出量が定められている。異常の程度は、最悪レベルが最も大きく、続いてレベルＡ、レベルＢ、レベルＣ、レベルＤ、レベルＥの順に大きい。異常の程度は、ノズルの吐出口の開口面積のうち詰まっている面積の大きさや、固化したインクの固着の程度などに相関している。また、液体排出量は、パージ量＞ａ＞ｂ＞ｃ＞ｄ＞予備フラッシング量の関係を有する。ａ〜ｄは、例えば、ａを大滴の液体量、ｂを中滴の液体量、ｃを小滴の液体量、ｄを極小滴の液体量とすることができる。なお、ａを中滴５０滴に相当する液体量、ｂを中滴４０滴に相当する液体量、ｃを中滴３０滴に相当する液体量、ｄを中滴２０滴に相当する液体量などとしてもよい。
【００５８】
【表２】
2015066890.tif 000004
【００５９】
具体的には、次の流れで異常の程度と液体排出量が決定される。まず、ドットサイズ別の着弾の成否を参照し、全種類のドットサイズにおいて着弾が失敗している場合に（ステップＳ３でＹＥＳ）、異常の程度は最悪レベルと判別され、液体排出量は所定のパージ量に決定される（ステップＳ４）。次に、ドットサイズ極小の着弾の成否を参照し、ドットサイズ極小で着弾が成功している場合に（ステップＳ５でＹＥＳ）、異常の程度はレベルＥと判別され、液体排出量はレベルＥに対応した予備フラッシング量に決定される（ステップＳ６）。続いて、ドットサイズ大の着弾の成否を参照し、ドットサイズ大で着弾が失敗している場合は（ステップＳ７でＮＯ）、異常の程度はレベルＡと判別され、液体排出量はレベルＡに対応した液体量ａに決定される（ステップＳ１０）。ドットサイズ大で着弾が成功している場合は（ステップＳ７でＹＥＳ）、ドットサイズ中の着弾の成否を参照し（ステップＳ８）、ドットサイズ中で着弾が失敗している場合に（ステップＳ８でＮＯ）、異常の程度はレベルＢと判別され、液体排出量はレベルＢに対応した液体量ｂに決定される（ステップＳ１０）。ドットサイズ中で着弾が成功している場合は（ステップＳ８でＹＥＳ）、ドットサイズ小の着弾の成否を参照し（ステップＳ９）、ドットサイズ小で着弾が失敗している場合に（ステップＳ９でＮＯ）、異常の程度はレベルＣと判別され、液体排出量はレベルＣに対応した液体量ｃに決定される（ステップＳ１０）。ドットサイズ小で着弾が成功している場合に（ステップＳ９でＹＥＳ）、異常の程度はレベルＤと判別され、液体排出量はレベルＤに対応した液体量ｄに決定される（ステップＳ１３）。
【００６０】
以上の通り、複数種のドットサイズのうち着弾が成功した最小のドットサイズ、即ち、複数種の液滴サイズのうち記録媒体への着弾が成功した最小の液滴のサイズに基づいて、異常の程度が判別され、異常の程度に対応して吐出回復のための液体排出量が決定される。
【００６１】
なお、１つ以上のノズルにおいて、吐出回復のための液体排出量がパージ量に決定された場合、パージ動作ではノズルごとに液体排出量を変化させることはできないので、記録ヘッド１の全てのノズルの液体排出量がパージ量に決定される。したがって、１つ以上のノズルにおいて吐出回復のための液体排出量がパージ量に決定された場合、吐出回復動作においてパージ動作が行われる。
【００６２】
また、吐出回復のための液体排出量が液体量ａ〜ｄ及び予備フラッシング量のいずれかである場合は、吐出回復動作においてフラッシングが行われ、ノズルごとに決定された液体排出量の液体が排出される。したがって、異常の程度が最悪レベルと判別されたノズルが記録ヘッド１に存在しない場合には、吐出回復動作ではフラッシング動作が行われる。
【００６３】
第２診断部７６は、上記の流れに沿って異常の程度の判別と吐出回復のための液体排出量を導き出すことができるが、例えば、次表３，４に示すような、ドットサイズ別の着弾の成否の組み合わせと異常の程度との関係を示すルックアップテーブルを記憶部に記憶し、このルックアップテーブルを参照して各ノズルについて異常の程度の判別と吐出回復のための液体排出量を決定することもできる。
【００６４】
次の表３では、第１例に係るテストパターンを用いたときの、ドットサイズ別の着弾の成否の組み合わせと異常の程度との関係が示されている。表３において、左一列目はドットサイズが示され、上一行目はノズル番号が示されている。この表において、○は着弾の成功、×は着弾の失敗がそれぞれ示されている。
【００６５】
【表３】
2015066890.tif 000005
【００６６】
吐出の着弾の成否と異常の程度との関係は、テストパターンに応じて定められる。次の表４では、第２例に係るテストパターンを用いたときの、ドットサイズ別の着弾の成否の組み合わせと異常の程度との関係が示されている。表４において、左一列目はドットサイズが示され、上一行目はノズル番号が示されている。この表において、○は着弾の成功、×は着弾の失敗がそれぞれ示されている。
【００６７】
【表４】
2015066890.tif 000006
【００６８】
〔吐出回復処理〕
ここで、吐出回復処理の流れを、図９を参照しながら説明する。図９は、制御手段１００が行う吐出回復処理の流れを示すフローチャートである。まず、制御手段１００は、記録媒体上にテストパターンの画像形成を行うように、記録ヘッド１及び搬送機構４０を動作させる（ステップＳ３１）。次に、制御手段１００は、イメージセンサ１６にてテストパターン画像を読み取り、テストパターン画像データを作成する（ステップＳ３２）。続いて、制御手段１００は、テストパターン画像データを用いて、第１の診断を行う（ステップＳ３３）。第１の診断では、記録ヘッド１の複数のノズルの各々について吐出の正常と異常とが判別される。いずれかのノズルにおいて吐出の異常がある場合（ステップＳ３３でＮＯ）、制御手段１００は、第２の診断を行う（ステップＳ３４）。第２の診断では、複数のノズルの各々について、第１の診断の結果に基づいて吐出の異常の程度が判別され、吐出の異常の程度に応じて吐出回復のための液体排出量が決定される。
【００６９】
全てのノズルにおいて吐出の異常がない場合（ステップＳ３３でＹＥＳ）、即ち、吐出回復のための液体排出量がゼロの場合、記録ヘッド１の全てのノズルは良好な状態にあるため、吐出回復動作は行われない。
【００７０】
吐出回復動作において、まず、制御手段１００は、吐出回復のための液体排出動作が、パージ動作であるかフラッシング動作であるかを決定する。このために、制御手段１００は、第２の診断結果の液体排出量を参照し、吐出回復のための液体排出量がパージ量である場合は（ステップＳ３５でＹＥＳ）、吐出回復のための液体排出動作をパージ動作に決定する。他の場合は（ステップＳ３５でＮＯ）、吐出回復のための液体排出動作をフラッシング動作に決定する。
【００７１】
吐出回復のための液体排出動作をパージ動作に決定した場合、制御手段１００は、パージ動作を行うようにプリンタ１０を動作させる（ステップＳ３６）。パージ動作では、各ノズルから液体が排出され、この結果、各ノズルの吐出が回復する。パージ動作のあとで、ワイピング動作が行われるように、制御手段１００は、ポンプ３８、ヘッド昇降機構３９及びワイパユニット３６を制御する（ステップＳ３７）。
【００７２】
吐出回復のための液体排出動作をフラッシング動作に決定した場合、制御手段１００は、第２の診断結果を利用して、フラッシングデータを作成する（ステップＳ３８）。フラッシングデータは、各ノズルが、第２の診断において各ノズルにつき決定された液体排出量の液体の吐出を行うように作成される。作成されたフラッシングデータは、駆動データ記憶部７４１へ出力され、このフラッシングデータに基づいてフラッシング動作が行われる（ステップＳ３９）。フラッシング動作では、各ノズルが、第２の診断において各ノズルにつき決定された液体排出量の液体の吐出を行い、この結果、各ノズルの吐出が回復する。
【００７３】
本実施形態において、パージ動作及びフラッシング動作では、搬送ベルト４３へ向けてノズルから液体が排出される。そこで、制御手段１００は、フラッシング動作、又は、パージ動作及びワイピング動作が行われた後に、搬送ベルト４３のクリーニング動作を行う（ステップＳ４０）。クリーニング動作では、洗浄液塗布部材３７１及びブレード３７２を搬送ベルト４３と当接する位置へ移動させ、搬送ベルト４３を時計回りに走行させる。これにより、搬送ベルト４３の外周面に洗浄液が均一に塗布され、外周面上のインクなどの異物が、洗浄液と共にブレード３７２で掻き取られる。以上で、制御手段１００による吐出回復処理が終了する。
【００７４】
以上説明した通り、本実施形態に係るプリンタ１０では、ノズルの吐出回復処理において、ノズルの吐出異常の程度に応じて、フラッシング動作及びパージ動作のいずれかが選択的に実行される。この結果、フラッシング動作が選択される場合は、パージ動作が選択される場合と比較して、吐出回復動作に要する時間を低減することができる。また、フラッシング動作では、各ノズルから、吐出異常の程度に対応した吐出回復に必要とされる液体量の液体の吐出が行われるので、吐出回復動作で一律にパージ動作が行われる場合と比較して、画像形成以外の目的で消費されるインク量を削減することができる。また、ノズルの吐出回復処理で、ノズルの吐出異常の程度に応じた液体量の液体が吐出されることによって、ノズルの吐出が確実に回復する結果、吐出性能が安定し、画像品質の低下を抑制することができる。
【００７５】
以上、本発明の好適な実施の形態について説明したが、本発明は上述の実施の形態に限られるものではなく、特許請求の範囲に記載した限りにおいて様々な変更が可能なものである。
【００７６】
例えば、制御手段１００は、第２の診断において、ノズルの吐出の異常の程度を判別することと、吐出回復のための液体排出量を決定することとを行うが、吐出回復のための液体排出量を決定することのみが行われてもよい。
【００７７】
また、例えば、パージ動作及びフラッシング動作では、搬送ベルト４３に向けて液体が排出されるが、記録ヘッド１の下方に吐出面１ａを封止するキャップを設けて、キャップ内に液体を排出するようにしてもよい。この場合、パージ動作は、記録ヘッド１の吐出面１ａをキャップで封止し、キャップ内を負圧にすることによりノズルからインクを吸引する吸引パージ動作であってもよい。
【００７８】
また、例えば、吐出回復動作に係るフラッシング動作では、搬送ベルト４３に向けて液体が吐出されるが、搬送機構４０により搬送される記録媒体に向けて液体が吐出されてもよい。この場合、更に、吐出回復動作に係るフラッシング動作において、吐出回復の確認を行ってもよい。吐出回復の確認を行う場合には、例えば、次に示すようにフラッシングデータが作成される。
【００７９】
図１０は、フラッシングデータに基づいてフラッシング動作を行い、そのときに記録媒体に形成された画像（フラッシング画像）を示している。フラッシング画像は、各ノズルが、第２の診断において各ノズルにつき決定された液体排出量の液体の吐出を行うことにより形成された吐出回復用画像６１と、この吐出回復用画像の下流側において、各ノズルから極小滴の液体の吐出を行うことにより形成された確認用画像６２とで構成されている。つまり、フラッシングデータは、各ノズルが、第２の診断において各ノズルにつき決定された液体排出量の液体の吐出を行い、そのあとで、各ノズルの吐出状態を確認するために、各ノズルから極小滴の液体の吐出を行うようなデータとなるように作成される。
【００８０】
そして、上記フラッシングデータに基づいてフラッシング動作が行われる場合には、搬送機構４０により搬送される記録媒体に向けて液体の吐出が行われ、記録媒体に形成された画像のうち確認用画像がイメージセンサ１６により読み取られる。そして、制御手段１００により、確認用画像データが解析され、例えば、前述の第１の診断と同様の手順でノズルの吐出の正常と異常とが判別され、この判別結果が筐体１１に設けられた表示部などに表示出力されるようにすることができる。
【００８１】
なお、本発明は、ライン式・シリアル式のいずれの記録ヘッド１を備えた画像形成装置にも適用可能であり、また、プリンタに限定されず、ファクシミリやコピー機等にも適用可能である。さらに、インク以外の液体を吐出させることで記録を行う画像形成装置にも適用可能である。さらに、本発明は、インクの吐出方式にかかわらず適用できる。例えば、本実施の形態では、圧電素子を用いたが、抵抗加熱方式でも、静電容量方式でもよい。
【符号の説明】
【００８２】
１  記録ヘッド
１０  インクジェット式プリンタ（画像形成装置）
１２  吐出口
１６  イメージセンサ
４０  搬送機構
７２  画像データ記憶部
７３  データ書込部
７４  ヘッド制御部
７５  第１診断部
７６  第２診断部
７７  フラッシング動作制御部
７８  テストパターン記録部
７９  画像読取制御部
９５  パージ動作制御部
１００  制御手段
【図１】
2015066890.tif 000007
【図２】
2015066890.tif 000008
【図３】
2015066890.tif 000009
【図４】
2015066890.tif 000010
【図５】
2015066890.tif 000011
【図６】
2015066890.tif 000012
【図７】
2015066890.tif 000013
【図８】
2015066890.tif 000014
【図９】
2015066890.tif 000015
【図１０】
2015066890.tif 000016